(57)【特許請求の範囲】
【請求項１】
耕耘土を両側方に寄せて凹状の溝（５）の側壁を成形して土留めを行う溝成形部（３１）と、上記溝（５）にシート（６）を敷設するシート敷設作業部（３２）とを備え、上記シート敷設作業部（３２）が、溝（５）に沿って敷かれたシート（６）の側端部を、溝（５）の両側方の溝肩部（５ａ）中に折り曲げて折り込む埋設ガイド（５６）を備えたシート敷設装置において、自由回転自在な円板からなる前記埋設ガイド（５６）を、溝成形部（３１）による土留め作用の範囲内で溝成形部（３１）の側方に配置したシート敷設装置。
【請求項２】
耕耘土を両側方に寄せて凹状の溝（５）の側壁を成形して土留めを行う溝成形部（３１）と、上記溝（５）にシート（６）を敷設するシート敷設作業部（３２）とを備え、上記シート敷設作業部（３２）が、溝（５）に沿って敷かれたシート（６）の側端部を、溝（５）の両側方の溝肩部（５ａ）中に折り曲げて折り込む埋設ガイド（５６）と、溝肩部（５ａ）に挿入されて、シート（６）の溝肩部（５ａ）内への折り込み部分の上方に覆土を行う覆土体（５９）とを備えたシート敷設装置において、自由回転自在な円板からなる前記埋設ガイド（５６）と覆土体（５９）とを、共に溝成形部（３１）による土留め作用の範囲内で溝成形部（３１）の側方に配置したシート敷設装置。
【発明の詳細な説明】
【技術分野】
【０００１】
本発明は、地面に形成した溝及び溝肩部にシートを敷設するシート敷設装置に関する。
【背景技術】
【０００２】
従来管理作業機に耕耘装置を装着し、該耕耘装置に、耕耘土を盛り上げて畦を形成する畦立て成形板と、形成された畦にシート（古紙フィルム）を被せて覆うマルチ装置とを連接して野菜等の栽培床を形成する装置が公知となっている（例えば特許文献１参照）。
【０００３】
一方管理作業機を使用して圃場に深さ20cm、幅60cm程度の凹溝を形成し、この溝内に防根透水シートを敷設し、その後シート上に耕耘土を埋め戻すとともに、必要な肥料を入れて表面を均すことにより、野菜やトマト，メロン等を栽培する根圏抑制栽培法が公知となっている（例えば特許文献２参照）。
【特許文献１】特開平９−１４０２１３号公報
【特許文献２】特開平１０−１３６７８７号公報
【発明の開示】
【発明が解決しようとする課題】
【０００４】
上記根圏抑制栽培法に使用する溝（凹溝）に円滑に防根透水シートを敷設する装置は従来存在しないが、特許文献１に示されるマルチ装置を、例えば畦立て成形板を、耕耘土を両側方に寄せて根圏抑制栽培法に使用する溝を形成する溝成形用の培土板に変更し、且つシートの被覆部を凹溝形状に沿ってシートを敷設する構造に変更することにより、根圏抑制栽培法の凹溝にシートを敷設する作物栽培床専用型のシート敷設作業機を構成することが考えられる。
【０００５】
しかし耕耘土を両側方に寄せて成形される凹溝は、シートの敷設に際して、溝の両側壁が崩れを起こす場合がある等の問題が考えられる。本発明は凹状の溝の特に両側壁の崩れを防止しながら円滑にシートの敷設作業を行うことができるシート敷設装置を提供することを課題としている。
【課題を解決するための手段】
【０００６】
上記課題を解決するための本発明のシート敷設装置は、耕耘土を両側方に寄せて凹状の溝５の側壁を成形して土留めを行う溝成形部３１と、上記溝５にシート６を敷設するシート敷設作業部３２とを備え、上記シート敷設作業部３２が、溝５に沿って敷かれたシート６の側端部を、溝５の両側方の溝肩部５ａ中に折り曲げて折り込む埋設ガイド５６を備えたシート敷設装置において、自由回転自在な円板からなる前記埋設ガイド５６を、溝成形部３１による土留め作用の範囲内で溝成形部３１の側方に配置したことを第１の特徴としている。
【０００７】
第２に、耕耘土を両側方に寄せて凹状の溝５の側壁を成形して土留めを行う溝成形部３１と、上記溝５にシート６を敷設するシート敷設作業部３２とを備え、上記シート敷設作業部３２が、溝５に沿って敷かれたシート６の側端部を、溝５の両側方の溝肩部５ａ中に折り曲げて折り込む埋設ガイド５６と、溝肩部５ａに挿入されて、シート６の溝肩部５ａ内への折り込み部分の上方に覆土を行う覆土体５９とを備えたシート敷設装置において、自由回転自在な円板からなる前記埋設ガイド５６と覆土体５９とを、共に溝成形部３１による土留め作用の範囲内で溝成形部３１の側方に配置したことを特徴としている。
【発明の効果】
【０００８】
以上のように埋設ガイドを、溝成形部による土留め作用の範囲内で溝成形部の側方に配置することによって、埋設ガイドは、溝成形部による土留め状態で溝肩部にシートの側端部を折り込むため、シート側端部の折り込み時に溝、特に溝の側壁の崩れが防止され、溝の崩れを防止しながらシートの敷設作業を行うことができるという効果がある。
【０００９】
また覆土体を、溝成形部による土留め作用の範囲内で溝成形部の側方に配置することによって、覆土体は、溝成形部による土留め状態で溝肩部に挿入されて覆土を行うため、覆土時に溝、特に溝の側壁の崩れが防止され、溝の崩れを防止しながらシートの敷設作業を行うことができる。
【００１０】
また埋設ガイドと覆土体とを、共に溝成形部による土留め作用の範囲内で溝成形部の側方に配置することによって、溝成形部による土留め状態で、埋設ガイドによるシート側端部の溝肩部内への折り込み作業、及び覆土体による覆土作業が行われ、両作業時に溝、特に溝の側壁の崩れが防止され、溝の崩れを防止しながらシートの敷設作業を行うことができる。
【００１１】
そして埋設ガイドを自由回転自在な円板から構成することによって、埋設ガイドを弾力性を有する線材から構成する場合に比較して、ガイド（円板）の厚さを、線材の太さより小さくすることができる。このため埋設ガイドの溝肩部への挿入幅を小さく抑えることができ、シートの溝肩部への挿入を円滑に行い、自由回転によりシートを円滑に溝肩部内に折り込むことができる。
【発明を実施するための最良の形態】
【００１２】
図１，図２は、本シート敷設装置を使用したシート敷設作業機１の側面図及び斜視図である。このシート敷設作業機１は、圃場の耕耘を行う耕耘装置２が装着された管理作業機３に本シート敷設装置４が取り付けられた構成となっている。
【００１３】
シート敷設装置４を作動させながら管理作業機３を圃場内で走行させることによって、根圏抑制栽培法における凹状の溝５を作り整形し、該溝５内に防根透水シート６を敷き、該シート６を固定する構造となっている。
【００１４】
上記管理作業機３は、トランスミッションケース７を備えている。該トランスミッションケース７には、前後に突出するフレーム８が設けられている。該フレーム８の前方にエンジン９が搭載されている。上記フレーム８の後方に作業機連結用のヒッチ１１が設けられている。
【００１５】
エンジン９の駆動力は、ベルト伝動手段等からなる伝動機構１４を介してトランスミッションケース７に入力されている。上記トランスミッションケース７の下方には左右に突出する駆動軸１２が設けられている。各駆動軸１２には、各々クローラ走行装置１３が装着されている。
【００１６】
エンジン９からトランスミッションケース７に入力された駆動力によって左右の車軸１２が回転駆動される。この車軸１２の駆動によってクローラ走行装置１３が駆動される。クローラ走行装置１３の駆動によって管理作業機３が走行する。
【００１７】
トランスミッションケース７の上部には杆状のハンドル１６が設けられている。ハンドル１６の先端には握り部１６ａが設けられている。トランスミッションケース７の上部からは変速レバー１７が突出している。変速レバー１７の操作によって車軸１２の回転方向が変更されるとともに、駆動速度が変速される。
【００１８】
このため変速レバー１７によって管理作業機３の走行方向の変更と走行速度の変速を操作することができる。ハンドル１６は、該握り部１６ａが前方又は後方に突出するように、反転回動可能に取り付けられている。変速レバー１７は、先端が前方又は後方に突出するように、反転回動可能に取り付けられている。
【００１９】
図１，図２は、握り部が管理作業機３の前方に向かって突出するようにハンドル１６をセットし、先端が管理作業機３の前方に向かって突出するように変速レバー１７をセットした状態を示している。この場合作業者は、管理作業機３の後方を向きハンドル１６を持ち、後ずさりしながら変速レバー１７によって管理作業機３を走行させることができる。
【００２０】
上記クローラ走行装置９は、大径の駆動輪１８と小径の従動輪１９との間に無端帯状のクローラ２１が巻き掛けられた構造となっている。駆動輪１８が、上記車軸１２に装着されている。車軸１２にはクローラフレーム２２が揺動自在に軸支されている。
【００２１】
クローラフレーム２２は管理作業機３の前方に向かって突出している。前記従動輪１９はクローラフレーム２２の前部に自由回転自在に軸支されている。クローラ走行装置１３は、車軸１２を回動支点として揺動自在に車軸１２に軸支されている。
【００２２】
上記耕耘装置２は耕耘本体フレーム２３を備えている。該耕耘本体フレーム２３は前方側が前述のヒッチ１１に連結されている。耕耘本体フレーム２３には、前後の中途位置にロータリ伝動ケース２４が固定されている。ロータリ伝動ケース２４には、伝動ケース２６を介してトランスミッションケース７の上部から駆動力が入力されている。
【００２３】
ロータリ伝動ケース２４の下方には左右に突出するロータリ軸２７が設けられている。ロータリ軸２７の外周に複数の耕耘爪２８が一体的に取り付けられ、ロータリ部２９が構成されている。耕耘本体フレーム２３側には、ロータリ部２９の上方及び側方を覆うロータリカバー３０が取り付けられている。
【００２４】
ロータリ軸２７はロータリ伝動ケース２４に入力される駆動力によって回転駆動される。ロータリ軸２７の回転駆動と駆動停止は、上記変速レバー１７によって操作される。ロータリ軸２７を回転駆動することによって耕耘爪２８が回転し、圃場の耕耘を行う。
【００２５】
耕耘爪２８は、複数の長い溝部耕耘爪２８ａと複数の短い溝肩部耕耘爪２８ｂとからなる。溝部耕耘爪２８ａと溝肩部耕耘爪２８ｂは、内側寄りと外側寄りに纏めて配置されている。溝部耕耘爪２８ａはロータリ軸２７の回転によって、左右のクローラ走行装置１３の轍間距離内で、本シート敷設装置４によって形成する溝５用に、概ね溝５の幅と深さに圃場を耕耘する。
【００２６】
溝肩部耕耘爪２８ｂは、溝部耕耘爪２８ａの外側に配置され、且つ溝部耕耘爪２８ａより短く形成されているため、ロータリ軸２７の回転によって上記溝５用の耕耘部分の左右両側で未耕耘の溝肩部５ａを浅く耕耘する。溝肩部耕耘爪２８ｂは、溝部耕耘爪２８ａによって上記溝肩部５ａに飛散堆積される肩部堆積耕耘土も溝肩部５ａと共に再耕耘する。これにより溝肩部５ａの表層は均質に耕起され一定高さに均された状態となる。
【００２７】
本シート敷設装置４は、耕耘装置２により耕耘された耕耘土によって上記溝５（根圏抑制栽培法における凹溝）を成形し、且つ成形された溝５の側壁を土留めするとともに、成形された溝５の両側方の溝肩部５ａの耕耘土を均し成形する溝成形部３１と、溝成形部３１によって成形された上記溝５に防根透水シート６を敷設するシート敷設作業部３２とからなる。
【００２８】
溝成形部３１とシート敷設作業部３２とが耕耘装置２に連接され、本シート敷設装置４が管理作業機３に取り付けられている。このため耕耘本体フレーム２３の後方には、上記溝成形部３１とシート敷設作業部３２を取り付けるための取付部３３，３４が前後に設けられている。取付部３３，３４は、取付孔と固定具等からなる。
【００２９】
前述の溝成形部３１は、培土板３６と、肩部成形板３７とからなる。培土板３６が、溝５の成形と、成形された溝５の側壁の土留めを行う。肩部成形板３７が、溝肩部５ａの耕耘土を均し成形する。
【００３０】
該培土板３６は、上記溝部耕耘爪２８ａによる耕耘幅（形成する溝５の幅）と等しい幅の前面板３８と、該前面板３８の左右両側に連続的に連接されて後方に向かって延出する側面板３９とからなる。前面板３８と側面板３９は、平面視で逆コ字状をなす。
【００３１】
上記肩部成形板３７は、溝肩部５ａの耕耘土を均し成形する左右方向の板材からなる。肩部成形板３７は、培土板３６の側面板３９から左右に突出するように設けられている。肩部成形板３７は、溝肩部５ａに対応するように、培土板３６の底縁より上方に配置されている。
【００３２】
溝成形部３１は、培土板３６側から立設する取付杆４１を前記取付部３３に挿入固定することによって耕耘本体フレーム２３に装着されている。溝成形部３１は耕耘装置２の後方に配置される。
【００３３】
上記取付杆４１には、左右方向の取付バー４２が取り付け支持されている。該取付バー４２には、左右に支持フレーム４３が取付幅調節可能に装着されている。前述の取付部３４には、支持フレーム４４が上方から挿入されて取付支持されている。両支持フレーム４３，４４は後方に向かって突出している。
【００３４】
支持フレーム４３は前後方向の中途部分に回動軸支部４６が設けられている。支持フレーム４３は、図１の矢印Ａで示されるように、回動軸支部４６より後方部分を前方に向けて反転させ格納姿勢とすることができる。
【００３５】
上記支持フレーム４３における回動軸支部４６より前方側には、ブラケット４７を介して平面視で門型となる支持杆４８が取り付けられている。該支持杆４８の両側には、ロール状に巻き取られた防根透水シート（防根透水シートロール４９）を支持する左右一対のシート支持部５１が設けられている。
【００３６】
シート支持部５１は、防根透水シートロール４９の両側芯部を支持する。シート支持部５１によって本シート敷設装置４の培土板３６の上方位置に防根透水シートロール４９が装着される。防根透水シートロール４９は、培土板３６における側面板３９の前後方向の略中央位置に配置される。防根透水シートロール４９は回転して防根透水シート６を繰り出す。
【００３７】
支持杆４８の両側には、略Ｕ字状の支持杆５２の両端が軸支されて取り付けられている。支持杆５２には、繰出転圧ローラ５３が回転自在に軸支されている。該繰出転圧ローラ５３は、支持杆５２によって培土板３６の上方、且つシート支持部５１の後方下方に配置されている。繰出転圧ローラ５３は、図３に示されるように、繰り出される防根透水シート６の左右両側を各々溝肩部５ａに転圧する。
【００３８】
左右の支持フレーム４３の回動軸支部４６より後方部分には、各々ブラケット５４が取り付けられている。各ブラケット５４には、防根透水シート６の埋設ガイド５６が取り付けられている。埋設ガイド５６は左右一対となっている。埋設ガイド５６は、ブラケット５４に取り付けられる取付杆５７の下端に自由回転自在に設けられた薄型の円板からなる。
【００３９】
左右の埋設ガイド５６は、培土板３６の側面板３９に側面視において一部重複し、側面板３９の外側において、各々対応する左側又は右側の溝肩部５ａの上方に配置されている。埋設ガイド５６は、図３に示されるように、繰出転圧ローラ５３の後方において、繰出転圧ローラ５３で転圧支持した状態の防根透水シート６の側端部を溝肩部５ａとの間に挟み、防根透水シート６の側端部を溝肩部５ａの堆積耕耘土内に押し込み挿入する。
【００４０】
このため埋設ガイド５６は、防根透水シート６に対する作用位置が繰出転圧ローラ５３の後方となるように、繰出転圧ローラ５３の後方側に配置されている。これにより防根透水シート６の側端部は折り曲げられ、溝肩部５ａにおいて地中に折り込まれる。
【００４１】
両支持フレーム４３の回動軸支部４６より後方部分には、上記埋設ガイド５６の取付け用のブラケット５４の後方に、該ブラケット５４とは別のブラケット５８が取り付けられている。該ブラケット５８には、防根透水シート６の溝肩部５ａ内への折り込み部分の上方に外側から土をかき寄せて覆土を行う覆土輪５９が取り付けられている。
【００４２】
覆土輪５９は、ブラケット５８側に支持される取付杆６１に自由回転自在に軸支された円板からなる。覆土輪５９の周面は歯車状の凹凸形状となっている。覆土輪５９は、一部が溝肩部５ａに挿入され、自由回転することによって溝肩部５ａの土をかき寄せて覆土を行う。
【００４３】
このため覆土輪５９は、培土板３６の側面板３９に側面視において一部重複し、側面板３９の外側において、溝肩部５ａに対する作用位置が、埋設ガイド５６の作用位置の後方に位置するように、埋設ガイド５６の後方側に配置されている。ただし覆土輪５９は、上記のように埋設ガイド５６によって折り込まれた防根透水シート６の折り込み部分の上に覆土すればよいため、覆土輪５９と埋設ガイド５６とが側面視において一部重複する配置や、覆土輪５９の作用位置が、埋設ガイド５６の作用位置の後方側と一部重複する配置で埋設ガイド５６の後方側に配置してもよい。
【００４４】
前述の支持フレーム４４の後端には、二股状の取付杆６２が装着されている。該取付杆６２には左右一対の敷設輪６３が自由回転自在に軸支されている。上記敷設輪６３は、埋設ガイド５６と覆土輪５９との間の前後位置に配置されている。敷設輪６３は、培土板３６の両側板３９の間において、側面視で少なくとも一部が埋設ガイド５６と覆土輪５９とに重複する。敷設輪５６は、左右両側が繰出転圧ローラ５３によって溝肩部５ａに転圧されて繰り出される防根透水シート６を、溝５内において溝５の両コーナ部（溝隅部）に押圧して位置決めする。
【００４５】
シート敷設作業部３２は、上記のように耕耘本体フレーム２３に装着されるシート支持部５１と繰出転圧ローラ５２と埋設ガイド５６と覆土輪５９と敷設輪６３とを備えた構成となっている。
【００４６】
シート支持部５１，繰出転圧ローラ５３，埋設ガイド５６，覆土輪５９，敷設輪６３は、培土板３６における左右の側面板３９の前後方向の略中央から後端までの範囲に配置されている。シート支持部５１，繰出転圧ローラ５３，埋設ガイド５６，覆土輪５９，敷設輪６３のうち最後位置の敷設輪６３の後端が、側面板３９の最後端から所定の距離Ｌだけ前方に位置している。なお埋設ガイド５６と覆土輪５９は、支持フレーム４３を格納姿勢に折り畳むことによって、前方上方に突出する格納姿勢に切り換えられる。
【００４７】
上記のようにシート敷設装置４が取り付けられた管理作業機３を、変速レバー１７の操作によってロータリ軸２７を回転駆動しながら、前述のように作業者が後ずさりして図１に示されるＦ方向に前進させる。
【００４８】
これによりまずロータリ部２９の回転により、管理作業機３の走行軌跡に沿って、溝部耕耘爪２８ａが、本シート敷設装置４によって形成する溝５の幅と深さに圃場を連続的に耕耘する。同時に溝肩部耕耘爪２８ｂが、溝用の耕耘部分の両側の溝肩部５ａを連続的に浅く耕耘する。
【００４９】
そして管理作業機３の走行に伴って耕耘土を溝成形部３１の培土板３６が左右方向に寄せて連続する溝８を形成する。このとき側面板３９は形成する溝５の側壁に連続的に接し、側壁を押圧して均し、側壁を成形するとともに、側壁の土留めを行う。前面板３８は、溝５の底面を成形する。そして肩部成形板３７が溝５の左右両側の溝肩部５ａを連続的に押し均し成形する。
【００５０】
防根透水シート６は、管理作業機３の走行に伴い繰出転圧ローラ５３を介して圃場に対して連続的に繰り出される。繰り出された防根透水シート６は、敷設輪６３の転接によって整形後の溝５のコーナー部に位置決めされながら、側端部が埋設ガイド５６によって連続的に溝肩部５ａ内に折り込み挿入される。
【００５１】
そして覆土輪５９が防根透水シート６の溝肩部５ａ内への折り込み部分の上方に覆土を行う。防根透水シート６の両側端部分の折れ込み端は、連続的な覆土により重量が加えられて閉鎖され固定される。以上のように作溝，溝の整形，防根透水シート６の敷設，防根透水シート６の固定を１行程で行うことができる。
【００５２】
埋設ガイド５６及び覆土輪５９は、前述のように培土板３６の側面板３９の外側方に配置されている。このため埋設ガイド５６は、培土板３６の側面板３９が溝５の側壁を均すように側壁に接して土留めしている範囲の側方において、溝肩部５ａ内に防根透水シート７の側端部とともに挿入される。
【００５３】
上記埋設ガイド５６の溝肩部５ａ内への挿入は、上記のように溝５の側壁を培土板３６の側面板３９が土留めしている状態で行われるため、埋設ガイド５６による防根透水シート６端部の溝肩部５ａ内への折り込み作業が、溝５の特に側壁の崩れが防止された状態で安定して行われる。
【００５４】
覆土輪５９は、埋設ガイド５６による防根透水シート６の側端部の溝肩部５ａ内への折り込み作業後に、耕耘された溝肩部５ａ内に挿入されて、上記覆土作業を行う。この際覆土輪５９の溝肩部５ａ内への挿入は、上記のように溝５の側壁を培土板３６の側面板３９が押えて土留めしている状態で行われるため、覆土輪５９による覆土作業が、溝５の特に側壁の崩れが防止された状態で安定して行われる。
【００５５】
本実施形態の場合は、埋設ガイド５６及び覆土輪５９の両方が、培土板３６の側面板３９による土留め作用の範囲内となる、該側面板３９の外側方における側面板３９の後端位置より前方に、側面視において一部が側面板３９に重複するように配置されているため、溝５の特に側壁の崩れが防止された状態で、埋設ガイド５６による防根透水シート６の側端部の溝肩部５ａ内への折り込み作業と覆土輪５９による覆土作業とが両方安定して行われる。
【００５６】
本実施形態の場合は、埋設ガイド５６及び覆土輪５９の両方が、培土板３６の側面板３９の外側方における側面板３９の後端位置より前方に配置されているため、上記のように埋設ガイド５６による防根透水シート６の側端部の溝肩部５ａ内への折り込み作業と覆土輪５９による覆土作業の両方が、溝５の特に側壁の崩れが防止された状態で安定して行われる。
【００５７】
ただし場合によっては埋設ガイド５６又は覆土輪５９の一方のみを培土板３６の側面板３９の後端位置より前方に配置し、防根透水シート６の折り込み作業又は覆土作業を培土板３６の側面板３９による土留め作用が効いている状態で実行させることもできる。
【００５８】
なお埋設ガイド５６及び覆土輪５９は、培土板３６の側面板３９による溝５の側壁の土留め作用範囲内で、防根透水シート６の側端部の溝肩部８ａ内への折り込み作業や、覆土作業を行うことによって、溝５の特に側壁の崩れが防止された状態で上記作業を行うことができる。
【００５９】
このため埋設ガイド５６や覆土輪５９を、必ずしも上記のように完全に培土板３６の側面板３９の後端より前方内に収める必要はなく、上記培土板３６による土留め作用範囲内で、埋設ガイド５６や覆土輪５９を、培土板３６の側面板３９の後端より後方に突出させることもできる。また本実施形態においては、埋設ガイド５６と覆土輪５９は、側面視において側面板３９の上方に一部突出した状態で、側面板３９に対して重複しているが、上記培土板３６による土留め作用範囲内であれば、側面板３９に対して任意の上下位置に配置することができる。
【００６０】
埋設ガイド５６や覆土輪５９は、上記培土板３６の側面板３９の後端より後方に突出させることもできる範囲を含めた側面板３９の後端部範囲内に設ければよい。上記のように前方に向かって走行する管理作業機３の後方にシート敷設装置４が装着されるため、後方側が培土板３６による溝成形の進行方向の後方側となる。
【００６１】
本シート敷設装置４に、従来公知の図４に示されるような、弾力性を有する線材を滑らかに後方に向けて湾曲させた形状の埋設ガイド６４を使用することもできる。埋設ガイド６４は、自由端部が溝肩部５ａの上方に位置し、繰出転圧ローラ５３によって溝肩部５ａに敷設される防根透水シート６の両側端部を、下側に向けて摺接案内して肩部の堆積耕耘土内に押し込み折り曲げた状態とする。
【００６２】
埋設ガイド６４は、培土板３６の側面板３９の後端より前方の範囲に設けられる。ただし側面板３９による溝５の側壁の土留め作用範囲内で、側面板３９の後端より後方に突出させてもよい。
【００６３】
この場合も埋設ガイド６４は、溝５の側壁を培土板３６の側面板３９が押えて土留めしている状態で防根透水シート６の側端部の溝肩部８５内への折り込み作業を行う。このため上記円板状の埋設ガイド５６の場合と同様に、防根透水シート６の側端部の溝肩部５ａ内への折り込み作業を、溝５の特に側壁の崩れが防止された状態で安定して行うことができる。
【００６４】
弾力性を有する線材によって埋設ガイド６４を構成することによって、埋設ガイドの構造を簡単にすることができる。ただし図１〜３に示されるように、埋設ガイド５６を薄板円板から構成することによって、埋設ガイド５６（円板）の厚さを、上記線材からなる埋設ガイド６４の厚さ（線材の太さ）より小さく（薄く）することができる。
【００６５】
上記のように埋設ガイド５６を薄板円板から構成することによって、埋設ガイドの溝肩部５ａへの挿入幅を小さく抑えることができる。これにより防根透水シート６の溝肩部５ａへの挿入を円滑に行い、自由回転により防根透水シート６を円滑に溝肩部５ａ内に折り込むことができる。
【００６６】
なお本実施形態においては、上記両シート敷設装置も、根圏抑制栽培法において使用する防根透水シート６を凹状の溝５に対して敷設する場合を例に説明したが、防根透水シート６の他、どのようなシートであっても、該シートを凹状の溝に敷設する場合に使用することができる。
【図面の簡単な説明】
【００６７】
【図１】本シート敷設装置を使用したシート敷設作業機の側面図である。
【図２】本シート敷設装置を使用したシート敷設作業機の斜視図である。
【図３】本シート敷設装置を使用したシート敷設作業機によるシート敷設作業を示す斜視図である。
【図４】埋設ガイドを線材によって構成したシート敷設装置を使用したシート敷設作業機の斜視図である。
【符号の説明】
【００６８】
５    溝
５ａ  溝肩部
６    防根透水シート（シート）
３１  溝成形部
３２  シート敷設作業部
５６  埋設ガイド
５９  覆土輪（覆土体）
【図１】
0004785547.tif 000002
【図２】
0004785547.tif 000003
【図３】
0004785547.tif 000004
【図４】
0004785547.tif 000005